(57)【特許請求の範囲】
【請求項１】
複数の長形孔（２２〜２５）を有し、スノーボードの表面から一定の間隔をおいて固定されるベースプレート（２）と、
前記スノーボードの表面と前記ベースプレート（２）との間に配置され、環状溝（１４）を有して前記複数の長形孔（２２〜２５）を貫通する複数のピン（１０〜１３）が突出するピンプレート（１）と、
前記ベースプレート（２）および前記ピンプレート（１）の直径よりも大きな中央開口（３１）を有する取付板（３）と、
前記ピン（１０〜１３）を通す複数の通過孔（４０〜４３）と、前記中央開口（３１）から半径方向外側に延長された要素と、前記スノーボードの表面から遠ざかる方向に突出する突出部（４９ａ、４９ｂ）とを有する保持板（４）と、
前記ピン（１０〜１３）に対応する環形切辺孔（５０〜５３）と、前記環形切辺孔（５０〜５３）の少なくとも１つの側壁に設けられた上昇傾斜面（５９）とを有するテンションプレート（５）を有し、前記保持板（４）、前記取付板（３）および前記ピンプレート（１）を前記ベースプレート（２）に固定するテンション装置と、
面方向に突出する長方形突出部（６７、６８）と、前記面方向に対して垂直に突出する少なくとも１つの偏心ピン（６４、６５）とを有する固定板（６）と
を備え、前記テンションプレート（５）および前記ピンプレート（１）が前記保持板（４）を前記ベースプレート（２）に固定し、前記保持板（４）が前記取付板（３）を前記スノーボードに固定するスノーボードバインディングであって、
前記上昇傾斜面（５９）は、前記ピンプレート（１）を前記ベースプレート（２）に固定する固定位置に向かって前記テンションプレート（５）が回転した場合に、前記環形切辺孔（５０〜５３）に挿通された前記ピン（１０〜１３）が前記環状溝（１４）を前記上昇傾斜面（５９）に係合させ始める位置から、前記ピン（１０〜１３）が前記ピンプレート（１）を引き上げて前記ベースプレート（２）の下部を押圧する位置まで、前記ピン（１０〜１３）を上昇させる傾斜を有し、
前記テンションプレート（５）が前記固定位置にある場合に、前記テンションプレート（５）に前記偏心ピンに対応して設けられた固定孔（５４、５５）と、前記保持板（４）に前記偏心ピンに対応して設けられた前記固定孔（４４、４５）とが整列し、前記偏心ピン（６４、６５）が前記テンションプレート（５）の前記固定孔（５４、５５）を通じて前記保持板（４）の前記固定孔（４４、４５）に係合して、前記保持板（４）に対して前記テンションプレート（５）を固定し、
前記固定板（６）の縁部（６９ａ）が前記突出部（４９ａ）に接し、前記長方形突出部（６７、６８）の縁部が前記突出部（４９ｂ）に接して、前記固定板（６）が前記保持板（４）から摩擦により維持される
スノーボードバインディング。
【請求項２】
前記ピンプレート（１）が、十字形に配置された４つのアーム（１５、１５'および１６、１６'）を備え、前記ピン（１０〜１３）が前記アームの端部から突出し、相互直線型に位置した前記アーム（１５、１５'および１６、１６'）の各々は互いに直交する前記アームと異なる長さを有する、請求項１に記載のスノーボードバインディング。
【請求項３】
直線型に形成されたコギング（１８）が、前記ピンプレート（１）の上面に形成され、対応するコギング（２８）が、前記ベースプレート（２）の下面に形成される、請求項１または請求項２に記載のスノーボードバインディング。
【請求項４】
前記ベースプレート（２）の開口は長形孔（２２〜２５）であり、前記長形孔（２２〜２５）の長手方向である縦方向が前記コギング（２８）の稜線の方向と直交する請求項３に記載のスノーボードバインディング。
【請求項５】
前記保持板（４）は、前記ピン（１０〜１３）の数に対応した列をなす複数の通過孔（４０〜４３）を備え、
前記列は、前記ベースプレート（２）の長形孔（２２〜２５）の長手方向と直交する方向に配置される請求項１から請求項４のいずれか１項に記載のスノーボードバインディング。
【請求項６】
前記テンションプレート（５）の直径上に位置し、前記テンションプレートの上部から垂直に突出する２つの突出部（５７、５８）を備え、前記固定板（６）が対応する孔（６７ａ、６８ａ）を有し、前記突出部（５７、５８）と前記孔（６７ａ、６８ａ）が、前記突出部（５７、５８）が前記テンションプレート（５）の固定位置において前記孔（６７ａ、６８ａ）に係合する様態で互いに整列および配置される、請求項１から請求項５のいずれか１項に記載のスノーボードバインディング。
【請求項７】
前記突出部（５７、５８）が凹部（５７ａ、５８ａ）を備え、前記固定板（６）が、前記テンションプレート（５）を回転させるためにこれらの凹部（５７ａ、５８ａ）に配置され得る側面縁部上の突出部（６７、６８）を備える、請求項６に記載のスノーボードバインディング。
【請求項８】
前記テンションプレート（５）が、中央のピン型フランジ（５６）を備え、前記固定板（６）が、前記フランジ（５６）と対応する中央開口（６６）を備える、請求項１から請求項７のいずれか１項に記載のスノーボードバインディング。
【請求項９】
前記保持板（４）が、その表面から垂直に突出する少なくとも１つの略直線型の突出部（４９ａ）を備え、前記固定板（６）が、これらの突出部と対応する直線型の縁部（６９ａ）を備える、請求項１から請求項８のいずれか１項に記載のスノーボードバインディング。
【発明の詳細な説明】
【技術分野】
【０００１】
本発明は、スノーボードバインディングに関する。
【背景技術】
【０００２】
特許文献１は、スノーボードの表面がねじによって固定され得るベースプレートを有するスノーボードバインディングを開示する。４つのねじが切られた控えボルトがベースプレートから垂直に延長される。フランジプレートは、これらのねじが切られた控えボルトと対応する孔を有し、コギングをその円周上に有する。このコギングは、スノーボードバインディングの通常の取付板の対応するコギングと係合する。フランジプレートは、ねじが切られた控えボルト上において非回転の様態で保持されるが、ねじが切られた控えボルトの軸に沿って直線状移動され得る。この時、上記コギングは、対応するコギングから離脱し得る。テンションディスクは、フランジプレート上に配置され、ねじが切られた控えボルトと対応する長方形孔を有する。拡張ヘッドを有するねじブッシングは、これらの長方形孔に挿入され、ねじが切られた控えボルトにねじ込まれ得る。縦方向の孔は、傾斜面のように上昇する外縁を有する。ねじブッシングの拡張ヘッドは、外縁上においてサポートされる。ねじブッシングは、固定されたねじブッシングに対してテンションディスクを回転させることにより、縦方向孔の傾斜型縁部によってスノーボード表面に対する相互間格を変更し得る。その結果、非回転の様態で保持されたフランジプレートは上昇および下降され得、そのコギングは、ベースプレートの対応するコギングと係合する状態または係合しない状態とされ得る。緩められた状態において、ベースプレートおよびその全体バインディングは、スノーボードの縦軸に対して回転され得る。
【０００３】
特許文献２は、スノーボードの表面に直接固定され得、ねじが切られた孔を有する円筒形の中央突起を備えるベースプレートを有するスノーボードバインディングを開示する。
この突起は、バインディングの取付板の開口に延長し、取付板がスノーボード表面の平面上において相互に垂直な２方向に移動し得るように、該開口部突起よりもかなり大きい。取付板をベースプレートに対して固定させるために、ベースプレートのねじが切られた孔にねじ込まれるねじによって固定され得る取付板の開口を覆う保持板が使用される。
【０００４】
特許文献３は、スノーボードの表面にねじによって固定され得るベースプレートを有する他のバインディングを開示する。ベースプレートは、長方向孔の凹部を備え、ベースプレートの下部とスノーボードの上部の間で配置されて長方向孔の方向に移動し得るピンプレートから突出する１つの中央ピンがこの凹部を通して延長される。バインディングの取付板は、ベースプレート上に配置され得る。また、取付板は凹部を有し、上記ピンが凹部を通して延長される。靴を保持する通常の締結要素は、取付板に取り付けられる。保持板は取付板上に配置され、ねじが挿入されて保持板のピンのねじ山にねじ込まれ得る中央凹部を備える。従って、ねじが締結される場合、取付板は、保持板がテンションプレートに対して引っ張れながら保持板とベースプレートの間で固定される。テンションプレート、取付板、および保持板を構成する全体がねじを緩めることによって長方形孔において移動され得、よってバインディングの位置が縦方向に調整され得る。ねじは、手動で即ち道具を使用する事無く締められるか緩められるように作動ハンドルを備える。
【０００５】
特許文献４は、長方形孔を有するベースプレートがスノーボードの本体に導入され、縦方向スロットを有するボックス型プロファイルを備える類似するバインディングを開示する。
【０００６】
また、案内プロファイルがスノーボードの本体に導入される類似のバインディングが特許文献５に開示されている。保持板の代わりに、取付板の対応する孔を貫通して延長する中央ねじのみが提供される。このようなバインディングは、特許文献６にも開示されている。
【０００７】
引用された全てのバインディングは、２種類の共通の特徴を有する。最初に、バインディングの位置は、１つの方向にのみ、即ち通常スノーボードの縦方向に道具を使用する事無く簡単に調整され得る。次に、バインディングの固定は、いつも摩擦力の存在下で行われる。例えば、特許文献３および４のようなこれらのバインディングの一部において、取付板の回転位置が、スノーボード表面に垂直した回転軸に対して更に調整され得る。
【０００８】
特許文献７および８は、取付板の回転位置のみが道具を使用する事無く変更され得るスノーボードを開示する。特許文献２において、直線状に移動し得るコギング状ラックは、回転板に付着して対応するコギングに係合される。コギング状ラックは、コギングが開放および閉鎖される結果としてレバーとともに移動する。特許文献８の場合において、取付板は回転板上に固定され、スノーボード表面に垂直に移動し得るキャッチピンは、回転板に付着して対応板の孔に係合し得る。後に引用されたこれらのバインディングにおいては、スノーボードの表面に対する位置でなくバインディングの回転位置のみが調整され得る。
【０００９】
これらの全てのバインディングは、バインディングが他のスキーヤーによって頻繁に調整されるスノーボードレンタルに適合するように特定の調整を単純化するという重要な目的を有する。このようなバインディングは、最適のバインディング位置を試行錯誤的に発見しようと思う人々および使用中に迅速かつ道具を使用する事無く他のバインディング位置およびアライメントを試みる人々にも適合する。
【００１０】
一般に、スノーボードバインディングの位置および整列の調整は、（１）スノーボードの縦方向に、（２）スノーボードの横方向に、（３）スノーボードの表面に垂直した回転軸に対して、という３自由度を有する。ここで、調整は、無段階または可能な範囲内で微細段階により行われるべきである。これは、従来技術のように道具を使用する事無く簡単に調整を行える場合に好ましい。最後に、調整された特定の位置は、スノーボードに乗る際、バインディングとスノーボードの間で大きい力が発生する場合にも信頼し得るように維持され得るべきである。
【００１１】
事前公開されない特許文献９は、このような条件を満足するスノーボードバインディングを説明する。ここで、凹部はベース部に設けられ、この凹部は大きく、調整がスノーボード表面のプレートにおいてデカルト座標系の２軸に沿って可能であり、位置の固定がデカルト座標系の両軸の正のコギングにより行われるようになされている。このコギングは、ベースプレートの上部と保持板の下部との間のみならずテンションプレートの上部とベースプレートの下部との間で設けられる。ピンプレートが１つの同軸中央ピンのみを有するという事に注意されたい。
【特許文献１】独国特許出願公開第１９６２７８０８号明細書
【特許文献２】米国特許第６００７０８５号明細書
【特許文献３】欧州特許出願公開第０３５１２９８号明細書
【特許文献４】欧州特許第０８４０６４０号明細書
【特許文献５】独国実用新案第２９５０１５１５号明細書
【特許文献６】仏国特許出願公開第２５７５６６０号明細書
【特許文献７】仏国特許出願公開第２６２７０９７号明細書
【特許文献８】国際公開第９８／０８４８０号パンフレット
【特許文献９】独国特許出願番号第１０３１３３４２号明細書
【発明の開示】
【発明が解決しようとする課題】
【００１２】
本発明は、前述のスノーボードが３自由度の調整可能性を有し、調整位置が信頼性を有するように維持され、調整が簡単な方法で可能にスノーボードを改良する事である。
【００１３】
本課題は、請求項１に開示される特徴によって解決される。本発明の有利な実施形態および改善は、従属抗から導き出され得る。
【課題を解決するための手段】
【００１４】
本発明の基本概念は、ベースプレートの対応する長方形孔および保持板の対応する孔を貫通して延長する複数のピンを有するピンプレートを提供する事である。ここで、各ピンは、その自由端の近傍に環形の溝を備える。さらに、環形切片形状の長方形孔を有する回転可能なテンションプレートは、上記ピンの溝に係合する上昇傾斜面をその側壁が有するように提供される。従って、テンションプレートの回転により、ピンプレートがベースプレートの下方から適切な位置および上方から取付板と共に回転板に固定されるようにされる。微細目盛りのコギングは、適切な位置へ固定する際に、デカルト座標系の一方向（ｘ方向）に正の相対的な位置を定める正の接続が行われるように、ピンプレートの上部とベースプレートの下部の間で設けられる。また、正の調整の可能性は、上記１方向に垂直した方向（ｙ方向）に、および数個の位置が可能に回転板がピンの通過方向（ｙ方向）に連続的に位置した数個の孔を含む場合のスノーボード表面の平面に存在する。
【００１５】
本発明の他の改良によれば、テンションプレートの連関孔を通して回転板の連関孔に係合することによって回転運動によりテンションプレートを固定する固定ピンをその下部に含む固定板が提供される。また、固定板は、道具として使われ得る。そのため、固定板は、凹部をテンションプレートの上部に係合してテンションプレートを回転させる道具の機能をする少なくとも１つおよび好ましくは２つの側面突出部を有する。また、他の正の接続が、固定板とテンションプレートの間、および固定板と回転板の間で提供され得る。これらの接続により、これらの要素は非回転の様態で相互固定され得る。
【００１６】
これらの板、即ちベースプレート、ピンプレート、保持板、テンションプレート、および固定板は、単一のピースに形成される事が好ましい。これらは、十分な強度を有する所望の材料、即ち金属、ガラス、または炭素繊維強化プラスチック等から製造され得る。
【発明を実施するための最良の形態】
【００１７】
先ず、図１を説明する。スノーボードバインディングは、スノーボードＳ（図３を参照）の上部から始まってピンプレート１、ベースプレート２、取付板３（図２および図３を参照）、保持板４、テンションプレート５、および固定板６の順にそれぞれの上部に互いに装着される構造を有する。
【００１８】
ピンプレート１（図１（ａ）を参照）は、ｚ方向に垂直に突出し、その自由端の近傍に環状溝１４を有する４つのピン１０、１１、１２、１３を備える。ピンプレートは、その自由端にピン１０〜１３が取り付けられる４つのアーム１５、１５'および１６、１６'を備える。アーム１５、１５'および１６、１６'は、平面図において互いに直角であり、一対のピン１０、１１が他の対のピン１２、１３より中心点１９から小さい間隔を有するように他の長さを有する。ピン１０〜１３から遠ざかるピンプレートの下部１７は、図３に示したようにスノーボードＳの表面に面して装着される。ピンプレート１の下部１７と反対側の上面にコギング１８が設けられる。コギング１８の各々は、アーム１５、１５'の縦軸方向、即ち矢印ｙ方向に直線状に形成される。スノーボードＳの表面は、ｘ、ｙ平面に存在し、ｚ軸は、この平面に垂直である。
【００１９】
ベースプレート２（図１（ｂ）を参照）は、その下部から４つのポスト２０が突出する円形ディスクの形状を有する。ポストのそれぞれは、中央孔２１を有する。ポスト２０は、４×４ｃｍのスノーボード上における通常の挿入パターンのねじ固定に対応する正方形状に配置される。もちろん、他のパターンも可能であり、例えば、ポストは正三角形の形状に配置され得る。ベースプレート２は、スノーボードＳの表面上のポスト２０の自由端と一致し、孔２１に挿入されるねじ（図示せず）によりスノーボードにねじ止めされる。ピンプレート１の厚さがポスト２０の長さに略対応する事により、ベースプレート２は、スノーボード表面Ｓから一定の間隔をおいて存在する。この間隔はピンプレート１の厚さより大きく、ベースプレート２がスノーボードにネジ止めされている場合も、ピンプレート１は、ｘおよびｙ方向に相変らず移動し得る。バインディングの組み立て状態において、ポスト２０は、ピンプレートのアーム１５、１５'および１６、１６'と重なる。即ち、ポストは、アーム１５、１５'および１６、１６'の間の中間領域と係合する。ベースプレート２は、ピンプレート１のピン１０〜１３の数に対応する複数の長形孔２２、２３、２４、および２５を備え、各ピン１０〜１３が長形孔２２〜２５のうちの１つを通して延長され得る様態で配置される。
【００２０】
コギング２８は、スノーボード表面に面するベースプレート２の下部に設けられ、ベースプレート２とピンプレート１がこれらのコギング１８、２８によって正の方式で結合するようにピンプレート１のコギング１８に対応する。長形孔２２〜２５により、ピンプレート１は、コギング１８、２８の稜線方向にベースプレート２に対して移動し得る。従って、長形孔２２〜２５は、コギング２８の縦方向に垂直に揃う。
【００２１】
ポスト２０が非正方形パターン、例えば三角形パターンに配置され、ピンプレート１が対応して相互１２０度の角度を有する３つのアームおよび３つのピンを有するように変更され、よってポストがこれらのアームの間でいつも係合し得ることに注意されたい。
【００２２】
回転板としても用いられる図１ｃの保持板４は、正面図において円形のディスクの形態を有する。このディスクは、コギング１８の縦方向に配置された４つの列の通過孔４０〜４３を有し、そうでない場合にはこの配列は、ピン１０〜１３の配列に対応し、かつその直径は、ピン１０〜１３の直径に対応する。図示されたように、１列につき３つの通過孔の配列において、保持板４は、３つの異なる位置においてピン１０〜１３上に配置されて良い。ピンプレート１のアーム１５、１５'および１６、１６'の他の長さにより、保持板４は、１つの回転方向にのみピン１０〜１３上に配置される事も可能である。
【００２３】
列につき個々の通過孔の代わりに、列につき１つの長穴が提供され得、この場合に長穴の配置は、組み立て位置におけるベースプレート２の長形孔２２〜２４の配置に対して垂直である。
【００２４】
ベースプレート２は、使用の際にスノーボードの表面上に堅くねじ止めされる。ピンプレート１は、同時にコギング１８、２８の１つのコギング幅に応じた微細目盛りを有する長形孔２２〜２５の縦方向に移動し得、コギングの噛み合いによって固定され得る。ピン１０〜１３が通過孔４０〜４３と係合するので、保持板４は、ベースプレート２に対して同一の方向に移動する。これに垂直した方向に、保持板４は、通過孔４０〜４３の列を経由して他の様態で位置し得るか、または長穴を使用する場合にベースプレート２に対して連続的に移動し得る。
【００２５】
さらに、保持板４は、通過孔４０〜４３と同一の方向に配置し、相互同一の間隔を有する２列の固定孔４４、４５を備える。この場合、略縦方向に配置された孔が、数個の孔（図には３個が示される）の列の代わりに提供される事も出来る。これらの固定孔４４、４５の機能は、詳しく後述される。さらに、保持板４は、その中心が保持板の円の中央に位置し、その縦方向の範囲が通過孔４０〜４３および固定孔４４、４５の配列によって整列される中央の長形孔４６を備える。また、この中央の長形孔４６の機能は、詳しく後述される。
【００２６】
環形の突出縁部４７は、スノーボードの表面Ｓに面する保持板４の下部上に提供され、その縁部の軸長さは、ポスト２０の長さを含むベースプレート２の厚さより若干小さい。保持板４がベースプレート２の上部に停止していれば、縁部４７は、スノーボード表面Ｓに対して小さい間隔を有する。縁部４７の半径は、保持板４の要素が縁部４７上において半径方向に延長するように保持板４の直径より小さい。環形のギヤリング４８は、突出部の下部に位置し、取付板３の対応するコギング３８（図２を参照）にかみ合われるスノーボードの表面に面する。取付板３は、図１の図面上に垂直した回転軸に対してギヤリング４８およびコギング３８により回転され得、回転方向に微細目盛りにおいて停止され得る。
【００２７】
また、２つの突出部４９ａ、４９ｂは、スノーボード表面Ｓから遠ざかる方向に保持板の上部から突出する。この突出部の機能は、詳しく後述される。
【００２８】
図１ｄのテンションプレート５は、円形のディスクとして設計される。テンションプレート５は、４つの環形切辺孔５０〜５３を備え、ピンプレート１の中央１９からピン１０〜１３の異なる間隔によって異なる半径を有する円形のトラック上において環形切辺孔５０、５１の対および環形切辺孔５２、５３の対に整列する。環形切辺孔５０〜５３は、ピン１０〜１３を内側に挿入し得るように、ピン１０〜１３の直径に適応された拡幅端部を有する。さらに、環形切辺孔５０、５１、５２、５３は、特定のピン１０〜１３の環状溝１４に係合する側面の上昇傾斜面５９を有する。従って、テンションプレート５が回転する場合、ピンプレート１は、環状溝１４と上昇傾斜面５９の調和によりスノーボードの表面Ｓから上側に引っ張られ、ベースプレート２の下部に対して押圧される。さらに、テンションプレート５は、ピンプレート１、ベースプレート２、取付板３、保持板４、およびテンションプレート５の配置が適切な位置に堅く固定されるように、このようなプロセスによって保持板４の上部に対して押圧される。
【００２９】
テンションプレート５が環形切辺孔５０〜５３の長さによって決定される適切な位置に固定される制限位置にある場合、テンションプレート５の固定孔５４および５５は、保持板４の固定孔４４、４５と整列される。
【００３０】
テンションプレート５は、ｚ方向にその表面上に突出し、中央孔５６ａを有する円形の中央フランジ５６を備え、そのそれぞれが凹部５７ａ、５８ａの周囲に配置される軸の方向に突出する２つの突出部５７、５８を備える。これらの２つの凹部５７ａ、５８ａは、テンションプレート５の円形の中心を通過する直線に沿って整列される。
【００３１】
図１ｅの固定板６は、レベルディスクとして設計される。固定板６は、ピン１０、１１、１２および１３のパターンによって配列された４つの通過孔６０、６１、６２および６３を備える。さらに、固定板６は、テンションプレート５の固定孔５４、５５の配置によって配置および整列されるスノーボード表面Ｓに面するその下部から突出する２つのピン６４、６５を備える。また、固定板６は、テンションプレート５の突出部５７、５８によって配置および整列される２つの長穴６７ａ、６８ａを備える。さらに、固定板６は、その直径がフランジ５６の直径に適応する中央孔６６を備える。
【００３２】
固定板６は、その寸法がテンションプレート５の凹部５７ａ、５８ａに対応する突出部６７、６８が形成されるように、１つの面上において直線に配列され、他面上において上記縁部に平行な縁部６９ａ、および数個の凹部を備える縁部６９ｂを備える。２つの突出部６７、６８は、テンションプレート５を回転させる道具の機能を果たす。さらに、２つの小さい突出部７０は、縁部６９ｂ上に形成される。保持板４の突出部４９ｂ上の突出部７１は、これらの突出部の間で係合する。固定板６の直線縁部６９ａは、保持板４の突出部４９ａ上に停止されており、固定板６のピン６４、６５は、テンションプレート５の固定孔５４、５５を通して保持板４の固定孔４４、４５に延長される。これと共に、固定板６は、保持板４に対してテンションプレート５を固定し、かつ縁部６９ａおよび突出部７０により回転に対抗して固定される。また、テンションプレート５のフランジ５６は、その中心が固定板６を保持する中央孔６６と係合する。
【００３３】
図２の分解図および図３の断面図からスノーボードバインディングの構成方法を認識する事が容易である。先ず、ピンプレート１は、スノーボードの表面Ｓ上にその下部１７によって配置される。ベースプレート２は、ポスト２０がピンプレートを通してアーム１５、１５'および１６、１６'間で延び、ピン１０〜１３が長形孔２２〜２５を貫通して延長するように、ピンプレート１上に配置される。ポスト２０は、スノーボードＳ上のいわゆる挿入部においてねじ止めされる。コギング２８を有するベースプレート２の下部は、ピンプレート１がアーム１５、１５'および１６、１６'と協同してポスト２０により画定される限界内においてベースプレート２の反対側のスノーボード表面の平面（ｘ／ｙ面）において自由に移動され得るようにするピンプレート１の反対側のコギング１８に相対する側に一定の間隔を有する。取付板３は、ピンプレート１とベースプレート２から構成されるユニット上に配置される。取付板３は、その直径が移動の可能性を含むピンプレート１またはベースプレート２の直径より大きい中央開口３１を備える。ギヤリング３２は、取付板３の中央開口３１の縁部に付着され、中央開口３１から遠ざかるように放射状へ向かって中央開口３１の周囲で延長される。
【００３４】
取付板３は、ブーツをバインディングに固定するための通常の固定装置（詳しく図示せず）を備える。当業者に公知である任意の固定装置、例えばインステップストラップ、トウストラップ、かかと受け（いわゆる、ハイバック）のみならず、キャッチピン、締め付けレバー等のようなシューバインディングの他の公知の固定装置が使われ得る。
【００３５】
次の段階において、保持板４は、選択した列の通過孔４０〜４３のそれぞれの位置を指定するためにピン１０〜１３が通過孔４０〜４３を貫通して延長する様態で環形の縁部４７をもって取付板３の中央開口３１に挿入される。
【００３６】
次に、テンションプレート５は、ピン１０〜１３がテンションプレート５の環形切辺孔５０〜５３を通して、即ち環形切辺孔５０〜５３の１つの端部上の拡張型開口を貫通して延長する様態で配置される。固定板６は、突出部６７、６８がテンションプレートの凹部５７ａ、５８ａに係合する様態で道具として使用される。テンションプレート５は、上昇傾斜面５９がピン１０〜１３の環状溝１４に係合する時、道具として固定板６と共に回転される。このようなプロセスの結果、ピンプレート１は下から、そして取付板３と共に保持板４はベースプレート２に対抗して上から押圧される。コギング１８および２８は、バインディングがｘ方向に位置するように相互に噛合する。これによって、テンションプレート５は、環形切辺孔５０〜５３の端部に当るまで回転される。この位置において、テンションプレート５の固定孔５４、５５は、保持板４の固定孔４４、４５と整列される。
【００３７】
最後の段階において、固定板６は、テンションプレート５上に配置される。固定板６は、フランジ５６上の中央孔６６に中心を置き、ピン６４、６５は、テンションプレートの固定孔５４、５５を通して保持板４の固定孔４４、４５に係合し、テンションプレート５の突出部５７、５８は、固定板６の長穴６７ａ、６８ａに係合する。同時に、固定板６の縁部６９ａは、保持板４の突出部４９ａ上に整列され、突出部６７、６８の前方縁部は、突出部４９ｂ上に整列される。突出部７１は、固定板６がこれらの多数の積極的な手段によってテンションプレート５を堅く固定するように、２つの突出部７０間に延長する。また、固定板６は、スノーボードの表面に垂直した方向（ｚ方向）にテンションプレート５および保持板４上のこれらの多数の手段により、摩擦によって維持される。固定板６は、孔６６を通して開口５６ａにねじ止めされるねじ（図示せず）によって選択的に固定される事も出来る。
【００３８】
バインディングの調整を後にしようとする場合には、先ず固定板が上昇されなければならない。そのため、凹部４９ｃが突出部４９ａ上に提供される。この凹部を通して固定板６の下に指を挿入してこれを上昇させ得る。
【００３９】
従って、ｘ方向およびｙ方向へのバインディングの調整は、追加の道具を使用する事無く若干の手動の操作のみで簡単に行われ得る。固定板６は、道具の機能を果たし、よって固定および道具の２つの機能を有する。
【００４０】
図３は、組み立て状態のバインディングの断面を図示する。選択した断面図において、固定ピン６４、６５は、可視的でないが、点線によって表示される。同一物が突出部５７、５８および長方形孔６７ａ、６８ａの間の係合と類似の様態で適用される。図３は、同一の参照番号により以上の図面と関連して当業者に容易に理解される。
【図面の簡単な説明】
【００４１】
【図１】本発明によるスノーボードバインディングの各要素（取付板を除いて）を平面図、断面図、および底面図で示す概略図である。
【図１ａ】ピンプレート１の３つの対応する図面である。
【図１ｂ】ベースプレート２の３つの対応する図面である。
【図１ｃ】保持板４の３つの対応する図面である。
【図１ｄ】テンションプレート５の３つの対応する図面である。
【図１ｅ】固定板６の３つの対応する図面である。
【図２】スノーボードバインディングの分解断面図である。
【図３】スノーボードバインディングの断面図である。
【符号の説明】
【００４２】
１：ピンプレート
２：ベースプレート
３：取付板
４：保持板
５：テンションプレート
６：固定板
１０〜１３：ピン
１４：環状溝
１５、１５'、１６、１６'：アーム
１８、２８：コギング
２２〜２５：長形孔
４０〜４３：通過孔、
４４、４５、５４、５５：固定孔、
５０〜５３：環形切辺孔
５９：上昇傾斜面
６４、６５：偏心ピン
【図１】
0004639066.tif 000002
【図１ａ】
0004639066.tif 000003
【図１ｂ】
0004639066.tif 000004
【図１ｃ】
0004639066.tif 000005
【図１ｄ】
0004639066.tif 000006
【図１ｅ】
0004639066.tif 000007
【図２】
0004639066.tif 000008
【図３】
0004639066.tif 000009